(57)【要約】【課題】ドア下からの排水配管と、追焚き水受けからの排水配管を、１ヶ所で継手金具に接続し、継手金具は直接排水溝または排水桝の立ち面に取り付けて、排水構造を簡略化することができ、また、排水管の接続作業等も容易となる浴室ユニットの排水構造を提供する。【解決手段】洗い場パン３側に形成された排水桝５の浴槽パン４側の立ち面５ａに貫通孔を設け、この貫通孔に、二股に分岐した継手金具７を直接取り付けるとともに、この継手金具７に対し、ドア下からの排水配管８と、追焚き水受けからの排水配管９を接続して構成する。【選択図】                図２
2004360397.tif 000002
【特許請求の範囲】
【請求項１】
防水パンの洗い場側に形成された排水溝または排水桝の立ち面に貫通孔を設け、該貫通孔に、二股に分岐した継手金具を直接取り付けるとともに、該継手金具に対し、ドア下からの排水配管と、追焚き水受けからの排水配管を接続することを特徴とする浴室ユニットの排水構造。
【請求項２】
防水パンは、洗い場側の洗い場パンと浴槽側の浴槽パンに分割されているとともに、前記洗い場パンに一体形成された排水溝または排水桝の前記浴槽パン側の立ち面に貫通孔を設けて、該貫通孔に、二股状に分岐した継手金具を直接取り付け、該継手金具に対し、ドア下からの排水配管と、追焚き水受けからの排水配管を接続することを特徴とする浴室ユニットの排水構造。
【発明の詳細な説明】
【０００１】
【発明の属する技術分野】
この発明は、浴室ユニットにおける排水構造に関するものである。
【０００２】
【従来の技術】
従来、浴室のドア下の排水構造は、例えば特許文献１に開示されているように、ドア下から配管をトラップに直接つなぐ構造となっている。
【０００３】
【特許文献１】
特開２０００−５４４５０号公報
【０００４】
【発明が解決しようとする課題】
従来では、逆流や封水等の品質面や構造が複雑になることによるコスト面でのデメリットがあった。
【０００５】
【課題を解決するための手段】
本発明は、上記従来の問題点に鑑み案出したものであって、排水構造を簡略化することができ、低コストでドア下配管や追焚き水受け配管を排水口に導くことのできる浴室ユニットの排水構造を提供せんことを目的とし、その第１の要旨は、防水パンの洗い場側に形成された排水溝または排水桝の立ち面に貫通孔を設け、該貫通孔に、二股に分岐した継手金具を直接取り付けるとともに、該継手金具に対し、ドア下からの排水配管と、追焚き水受けからの排水配管を接続することである。
【０００６】
また、第２の要旨は、防水パンは、洗い場側の洗い場パンと浴槽側の浴槽パンに分割されているとともに、前記洗い場パンに一体形成された排水溝または排水桝の前記浴槽パン側の立ち面に貫通孔を設けて、該貫通孔に、二股状に分岐した継手金具を直接取り付け、該継手金具に対し、ドア下からの排水配管と、追焚き水受けからの排水配管を接続することである。
【０００７】
【発明の実施の形態】
以下、本発明の実施例を図面に基づいて説明する。
図１は、浴室の斜視構成図であり、浴室１の底面を構成する防水パン２は、洗い場となる洗い場パン３と、浴槽を設置する浴槽パン４が分割されて形成されており、洗い場パン３の浴槽パン４側には、下方へ凹み状に排水桝５が一体形成されている。
【０００８】
図２の要部拡大斜視図で示すように、洗い場パン３の排水桝５の外側には、上方へ一体状に立ち上げて立上部３ａが形成され、立上部３ａの下端から浴槽パン４側へ略水平に延びて水平片部３ｂが一体形成されている。
一方、浴槽パン４側には、洗い場パン３の水平片部３ｂ上に載置させて浴槽パン４を接続できる接続部４ａが形成されている。
前記排水桝５は、水平片部３ｂよりも下方側へ突出して凹み状に一体形成されており、この排水桝５の底面には底孔５ｂが形成され、その下部には、別体のトラップ６が設けられている。
【０００９】
このトラップ６の上方の排水桝５の浴槽パン４側の立ち面５ａに、継手金具７が直接取り付けられている。この拡大図を図３に示し、また図４には、平面拡大図を示す。更に図５では、継手金具７の部品構成を斜視図で示す。
継手金具７は、外周にネジ７ｂを有する基管部７ａの先端に、直交状に分岐管部７ｃが設けられて略Ｔ字状に形成されており、分岐管部７ｃの両端内側には、接続用ネジ部７ｄが形成されている。
前記排水桝５の浴槽パン４側の立ち面５ａに、予め貫通孔１２を形成させておき、この貫通孔１２内に、継手金具７の基管部７ａを挿通させ、鍔７ｅを立ち面５ａに当接させて、排水升５の内側から、基管部７ａの外周にパッキン１３およびスリップワッシャー１４を外嵌させて、基管部７ａのネジ７ｂに対しロックリング１５を締め付け、このロックリング１５により、立ち面５ａに継手金具７を直接取り付けることができるものである。
【００１０】
なお、この継手金具７を排水桝５に取り付ける作業は、浴槽パン４を洗い場パン３に接続する前であり、しかも、排水桝５は水平片部３ｂよりも下方へ突出しているため、浴槽パン４および水平片部３ｂが邪魔にならず、良好かつ容易に継手金具７を排水桝５に取り付けることができるものである。
この継手金具７の分岐管部７ｃの両端には、ドア下排水配管８と、追焚き水受け排水配管９がそれぞれ対向状に接続されるものである。
ドア下排水配管８は、浴室１のドア１０の下部に溜まる水を、水受け１１から排水桝５内に流入させるためのものである。
【００１１】
また、追焚き水受け排水配管９は、図６，図７に示すように、浴槽パン４に設置される浴槽１６（図６では、浴槽パン４に浴槽１６が一体形成されているタイプを示している。また図７は、図６の要部拡大図である。）の側面に形成された追焚き用の追焚き口１６ａから漏れる水を、追焚き口１６ａに取り付けられた水受け１７で受けて、この水受け１７からの排水を排水桝５に導くものである。
図７において、水受け１７には接続管１７ａが突出されており、この接続管１７ａに対し、追焚き水受け排水配管９を差し込み状に接続して、外周をクリップ１８で締め付けて容易に接続できるものである。
継手金具７に対し、ドア下排水配管８および追焚き水受け排水配管９を接続した後に、洗い場パン３に対し浴槽パン４を接続することができる。
【００１２】
このように本例では、洗い場パン３に一体形成された排水桝５に、継手金具７を介してドア下排水配管８および追焚き水受け排水配管９を接続する構成であるため、トラップ６よりも上方の排水桝５に排水配管をつなぐことができ、従来のような逆流や封水等の品質面や構造が複雑になることがなく、排水構造を簡略化することができ、低コストで、ドア下からの排水および追焚き口１６ａからの排水を排水桝５に導いて排水することができるものである。
【００１３】
また、洗い場パン３の排水桝５に排水されるものであり、この排水桝５は掃除が簡単に行え、従来のようにトラップを掃除することに比べると、掃除作業が容易なものとなる。
また、継手金具７を直接排水桝５に取り付けているため、点検口から容易に、継手金具７の部分、およびドア下排水配管８および追焚き水受け排水配管９の接続部を点検することができ、メンテナンスも容易なものとなる。
【００１４】
なお、浴槽パン４が洗い場パン３と分割されているタイプにおいては、浴槽パン４を取り外した状態で、排水桝５の立ち面５ａに貫通孔１２を開口させる作業を楽に行うことができ、継手金具７の取付作業も容易に行うことができ、その後に浴槽パン４を接続でき、作業が容易なものとなる。
また、配管途中で分岐管を使用する場合とは異なり、排水桝５に直接接続金具７を取り付けて、排水配管８，９を接続するものであるため、接続する箇所が集中しており、接続部が少なくなるため、組み付け工程が少なく、漏水の危険性も少ないものとなる。
【００１５】
なお、本例では、洗い場パン３に排水桝５を一体で形成させた場合を例示しているが、排水桝５に代えて、洗い場パン３に排水溝を一体に形成して、この排水溝の浴槽パン４側の立ち面に、継手金具７を直接取り付けて構成することもできるものである。
【００１６】
【発明の効果】
本発明の浴室ユニットの排水構造は、防水パンの洗い場側に形成された排水溝または排水桝の立ち面に貫通孔を設け、貫通孔に、二股に分岐した継手金具を直接取り付けるとともに、継手金具に対し、ドア下からの排水配管と、追焚き水受けからの排水配管を接続することとしたため、トラップよりも高い位置にある排水溝または排水桝の立ち面に、直接継手金具を取り付けて、排水管を接続することができ、排水構造を簡略化することができ、しかも排水桝または排水溝の掃除も容易となる。
また、継手金具に対し、ドア下からの排水配管と、追焚き水受けからの排水配管を同時に接続させることができ、接続箇所が１ヶ所で済み、接続部が少なくなって漏水の危険性が少なくなり、組み付け作業も容易なものとなる。
【００１７】
また、防水パンは、洗い場側の洗い場パンと浴槽側の浴槽パンに分割されているとともに、洗い場パンに一体形成された排水溝または排水桝の浴槽パン側の立ち面に貫通孔を設けて、貫通孔に、二股状に分岐した継手金具を直接取り付け、継手金具に対し、ドア下からの排水配管と、追焚き水受けからの排水配管を接続することとしたため、浴槽パンを取り外した状態で、良好に排水溝または排水桝の立ち面に貫通孔を開ける作業を行うことができ、更に、貫通孔に対し良好に継手金具を取り付け、また継手金具に対し、ドア下からの排水配管および追焚き水受けからの排水配管を同時に１ヶ所で接続して、配管の接続作業も極めて容易に行うことができ、その後に、浴槽パンを洗い場パンに接続して作業を完了することができるものとなる。
【図面の簡単な説明】
【図１】浴室の底面を構成する防水パンの全体構成図である。
【図２】洗い場パンと浴槽パンの接続部における配管構造の要部拡大構成図である。
【図３】排水桝の部分を更に拡大した斜視構成図である。
【図４】図３の平面構成図である。
【図５】継手金具の構成部材の分解斜視図である。
【図６】浴槽パンに浴槽が一体形成されているタイプにおいて、浴槽の追焚き口に水受けを設けた斜視構成図である。
【図７】浴槽の追焚き口に設けられた水受け部分の拡大斜視構成図である。
【符号の説明】
１    浴室
２    防水パン
３    洗い場パン
３ａ    立上部
３ｂ    水平片部
４    浴槽パン
４ａ    接続部
５    排水桝
５ａ    浴槽パン側立ち面
５ｂ    底孔
６    トラップ
７    継手金具
７ａ    基管部
７ｃ    分岐管部
８    ドア下排水配管
９    追焚き水受け排水配管
１０    ドア
１１    水受け
１２    貫通孔
１３    パッキン
１４    スリップワッシャー
１５    ロックリング
１６    浴槽
１６ａ    追焚き口
１７    水受け
【図１】
2004360397.tif 000003
【図２】
2004360397.tif 000004
【図３】
2004360397.tif 000005
【図４】
2004360397.tif 000006
【図５】
2004360397.tif 000007
【図６】
2004360397.tif 000008
【図７】
2004360397.tif 000009